(57)【要約】      （修正有）【課題】次世代足場なども支柱のフランジやソケットなどの出っ張り部分を干渉せずに取付けられ、また、積雪や台風等強風時に養生シートの開閉が簡単にできる建築工事用仮設屋根を提供する。【解決手段】周辺部に取付穴が複数穿設された養生シート４と、養生シート４を展設する梁枠材１０と、梁枠材１０を支承する第一の取付金具２１および第二の取付金具２６からなる建築工事用仮設屋根において、第一の取付金具２１および第二の取付金具２６とともに一端に設けたクランプ１３を介して足場建枠８もしくはくさび緊結式の次世代足場の支柱２５に結合し、他端は梁枠材１０に設ける取付片９と軸着し、第一の取付金具２１は直状パイプ支柱を本体とし、第二の取付金具２６は屈曲させたパイプ支柱を本体とした。また、梁枠材１０は溝レールとしてローラ２を滑走可能とし、ローラ２は養生シート４の取付穴に挿入するロック付き突起６を車軸とした。【選択図】図１
0003230733.tif 000002
【実用新案登録請求の範囲】
【請求項１】
周辺部に取付穴が複数穿設された養生シートと、該養生シートを展設する梁枠材と、足場建枠もしくはくさび緊結式の足場である次世代足場の支柱に取り付き、前記梁枠材を支承する第一の取付金具および第二の取付金具からなる建築工事用仮設屋根において、第一の取付金具および第二の取付金具ともに一端に設けたクランプを介して前記支柱に結合し、他端は梁枠材に設ける取付片と軸着し、第一の取付金具は直状パイプ支柱を本体とし、第二の取付金具は屈曲させたパイプ支柱を本体としたことを特徴とする建築工事用仮設屋根。
【請求項２】
第一の取付金具は斜め架設支柱であり、第二の取付金具は直角な屈曲支柱である請求項１記載の建築工事用仮設屋根。
【請求項３】
梁枠材の第一の取付金具への取付片は間隔を存して複数個所に設けた請求項１または請求項２記載の建築工事用仮設屋根。
【請求項４】
梁枠材は溝レールとしてローラを滑走可能とし、ローラは養生シートの取付穴に挿入するロック付き突起を車軸とした請求項１ないし請求項３のいずれかに記載の建築工事用仮設屋根。
【考案の詳細な説明】
【技術分野】
【０００１】
本考案は、雨天でも外壁仕上げを可能にする雨養生屋根に関し、さらに詳細には、建築工事現場において、建築物の外壁部の仕上げ作業に際し最上段の足場上部に容易かつ迅速に最適な状態に取り付け可能な建築工事用仮設屋根に関するものである。
【背景技術】
【０００２】
ビルやマンション等の建築工事現場の外壁仕上げの作業に際しては、雨天でも作業ができるように足場建枠の上方に一般の丸パイプ及びクランプにて梁枠を組んでビニルシートを覆うように紐で枠組みに結わえて張設することが従来行われていたが、かかる建築工事用仮設屋根においては高所における取付作業であるために危険性が高く、また雨が入り込まないように適切に施工するには時間を要し、且つ取り付け・取り外しが面倒であるという問題点を有していた。
【０００３】
そこで出願人は建築工事現場における建築工事用仮設屋根の取り付け・取り外し及び位置調整を簡単迅速に行うことができ、ひいては安全性の高い建築工事用仮設屋根として下記特許文献の実用新案権を取得した。
【特許文献１】登録実用新案公報  第２６００４８９号
【０００４】
図８、図９に示すように、足場建枠８に養生シート４を架設するために、建築工事用仮設屋根１は各足場建枠８の上方に取り付ける梁枠材１０と、最上段の各足場建枠８に締着される単クランプ１７が回動自在に取り付ける第一の取付金具２１と、最上段の各足場建枠８の支柱上端のジョイント部３８に取り付ける第二の取付金具２６と、前記各梁枠材１０を繋ぐ梁２７及び交叉筋かい２９とで構成した。
【０００５】
図１０に示すように、前記養生シート４は、周辺部に鳩目３１で補強した取付穴３を複数穿設する。
【０００６】
前記梁枠材１０には、前記養生シート４の取付穴３を挿通するロック付き突起５及び金具取付穴７（７ａ）（７ｂ）を複数連設した。
【０００７】
前記第一の取付金具２１は、相互に摺動自在に連結する二本の支柱１９、２０の一端に前記梁枠材１０の前記金具取付穴の一つ（７ａ）と回動自在にネジ止めする取付部１１を配設した。
【０００８】
前記第二の取付金具２６には、前記梁枠材１０の他の金具取付穴（７ｂ）と回動自在にネジ止めする取付部２３を一端に配設し、他端は足場建枠８の支柱２５の上端のジョイント部３８にそのまま嵌挿されてネジ３９にてネジ止めされる構造となっている。
【０００９】
建築工事用仮設屋根１を施工するには、
（１）最上段の足場建枠８の建物側の支柱２５の上方のジョイント部３８に第二の取付金具２６の丸パイプ３７を嵌挿してネジ止めし（図９参照）、また、第一の取付金具２１の一端に配設された単クランプ１７を足場建枠８の支柱１６の上方にネジ止め締着することによって支柱１６と回動自在に連結する。
【００１０】
（２）梁枠材１０を第二の取付金具２６のＵ字形状の取付部２３の谷に入れ適当な金具取付穴７ｂにネジ止めする。
【００１１】
（３）第一の取付金具２１の連接支柱部分を持ち上げて、Ｕ字形状の取付部１１の谷部に梁枠材１０を入れて適当な金具取付穴７ａにネジ止めする。
【００１２】
（４）第一の取付金具２１の連接支柱部分の長さを支柱１９及び２０をスライドさせて梁枠材１０の傾斜角度αを雨が建物側壁に入り込まないように調整後、ロックピンにて固定する。
【００１３】
（５）第一、第二取付金具２１、２６と梁枠材１０とのネジ止めを固くするとともに、梁２７及び交叉筋かい２９を梁枠材１０の適当なロック付き突起５に差し込んで本仮設屋根の骨組み全体を補強する。
【００１４】
（６）養生シート４の取付穴３を相対する梁枠材１０のロック付き突起５に各々挿通するとともに、紐４０を取付穴３を通して梁２７に結わえる。
【考案の概要】
【考案が解決しようとする課題】
【００１５】
前記特許文献１の建築工事用仮設屋根では、第二の取付金具２６は枠組足場の連結ピンと同じような連結ピン（図１１の３８）構造での足場建枠８の支柱２５の上端のジョイント部３８に固定していたので、鳥居形枠組足場や簡易枠組足場
では問題はないものの次世代足場に使用する場合には次世代足場には柱のフランジやソケットなどの出っ張り部分が多く、これが干渉してしまうおそれがある。
【００１６】
また、養生シートは取付穴を相対する梁枠材のロック付き突起に各々挿通するとともに、紐を取付穴を通して梁に結わえる必要があり、面倒で迅速な開閉には難があった。
【００１７】
本考案の目的は前記従来例の不都合を解消し、次世代足場なども支柱のフランジやソケットなどの出っ張り部分を干渉せずに取付けられ、また、積雪や台風等強風時に養生シートの開閉が簡単にできる建築工事用仮設屋根を提供することにある。
【課題を解決するための手段】
【００１８】
前記目的を達成するため請求項１記載の本考案は、周辺部に取付穴が複数穿設された養生シートと、該養生シートを展設する梁枠材と、足場建枠もしくはくさび緊結式の足場である次世代足場の支柱に取り付き、前記梁枠材を支承する第一の取付金具および第二の取付金具からなる建築工事用仮設屋根において、第一の取付金具および第二の取付金具ともに一端に設けたクランプを介して前記支柱に結合し、他端は梁枠材に設ける取付片と軸着し、第一の取付金具は直状パイプ支柱を本体とし、第二の取付金具は屈曲させたパイプ支柱を本体としたことを要旨とするものである。
【００１９】
請求項１記載の本考案によれば、養生シートを展設する梁枠材は第一の取付金具および第二の取付金具で足場建枠の支柱もしくはくさび緊結式の足場である次世代足場の支柱で支承されるが、ともにクランプを介して第一の取付金具および第二の取付金具が設けられ、さらに、第二の取付金具は屈曲させた支柱を本体としたので、クランプにより支柱への上下位置を自由に調整でき、また、支柱の屈曲で大きく回避できるので、従来の枠組足場のみならす、支柱のフランジやソケットなどの出っ張り部分が多い次世代足場などにも出っ張り部分を干渉せずに取付けることができる。
【００２０】
請求項２記載の本考案は、第一の取付金具は斜め架設支柱であり、第二の取付金具は直角な屈曲支柱であることを要旨とするものである。
【００２１】
請求項２記載の本考案によれば、梁枠材を斜めに架設して支承するのに第二の取付金具は腕を曲げたような形で力強く支承でき、また、第一の取付金具は斜めに伸びることで、前記第二の取付金具と対応して突っ張るようにして傘を広げるように屋根を支承できる。
【００２２】
請求項３記載の本考案は、梁枠材の第一の取付金具への取付片は間隔を存して複数個所に設けたことを要旨とするものである。
【００２３】
請求項３記載の本考案によれば、第二の取付金具はこれを屈曲させたことで梁枠材の結合箇所は固定されるが、第一の取付金具は梁枠材の間隔を存して複数個所に設けたことにより、そのいずれかを選択することで斜め架設支柱としての角度を変更して異なる大きさの枠組足場に対応できるものとなる。
【００２４】
請求項４記載の本考案は、梁枠材は溝レールとしてローラを滑走可能とし、ローラの車軸は養生シートの取付穴に挿入するロック付き突起を車軸としたことを要旨とするものである。
【００２５】
請求項４記載の本考案によれば、養生シートは取付穴にロック付き突起を挿入してローラに係止するが、このローラは梁枠材を溝レールとして滑走するので養生シートの蛇腹状による折り畳みでの開閉を簡単かつ迅速に行うことができる。
【考案の効果】
【００２６】
以上述べたように本考案の建築工事用仮設屋根は、枠組足場のみならず次世代足場などの支柱のフランジやソケットなどの出っ張り部分を干渉せずに取付けられ、また、積雪や台風等強風時に養生シートの開閉が簡単にできるものである。
【図面の簡単な説明】
【００２７】
【図１】本考案の建築工事用仮設屋根の実施形態を示すもので、幅１２００ｍｍの足場建枠に取り付けた状態の側面図である。
【図２】本考案の建築工事用仮設屋根の実施形態を示すもので、幅９００ｍｍの足場建枠に取り付けた状態の側面図である。
【図３】本考案の建築工事用仮設屋根の実施形態を示すもので、幅６１０ｍｍの足場建枠に取り付けた状態の側面図である。
【図４】本考案の建築工事用仮設屋根の１実施形態を示す部分拡大側面図である。
【図５】本考案の建築工事用仮設屋根の１実施形態を示す強風時に畳んだ状態の側面図である。
【図６】本考案の建築工事用仮設屋根の１実施形態を示す要部の縦断側面図である。
【図７】本考案の建築工事用仮設屋根の使用状態を示す平面的説明図である。
【図８】従来例を示す斜視図である。
【図９】従来例を示す側面図である。
【図１０】従来例を示す第一の取付金具を梁枠材と足場建枠に取り付けた状態を示す部分拡大斜視図である。
【図１１】従来例を示す第二の取付金具を梁枠材と足場建枠に取り付けた状態を示す部分拡大斜視図である。
【考案を実施するための形態】
【００２８】
以下、本考案の実施の形態を図面に基づいて詳細に説明する。図１は本考案の建築工事用仮設屋根の実施形態を示すもので、幅１２００ｍｍの足場建枠に取り付けた状態の側面図、図２は同上幅９００ｍｍの足場建枠に取り付けた状態の側面図、図３は幅６１０ｍｍの足場建枠に取り付けた状態の側面図で、前記従来例を示す図８、図９と同一構成要素には同一参照符号を付したものである。
【００２９】
本考案の建築工事用仮設屋根１も足場建枠８に架設するものとして、前記従来例と同じく、周辺部に鳩目で補強した取付穴を複数穿設した養生シート４と、梁枠材１０と、第一の取付金具２１と、第二の取付金具２６とで構成する。
【００３０】
養生シート４の素材は一般に建築工事現場にて使用に適した丈夫で防水性に優れた合成繊維、再生繊維、半合成繊維等の化学繊維、ないし麻布等の天然繊維である。該養生シート４の大きさは特に制限はないが、現在の足場建枠８の規格寸法を考慮すれば、例えば縦２．４ｍ×横１．８ｍ程度が適当である。
【００３１】
また、養生シート４は周辺部に鳩目３１で補強した取付穴３（Φ１２）を約３０〜５５ｃｍの等間隔で複数穿設している。（図６参照）
【００３２】
前記梁枠材１０にはＣ型チャンネル材を用いてこれを２連並べて構成する。そして各々のチャンネル材を溝レールとしてローラ２を嵌めて滑走可能とする。チャンネル材は上面の開口脇の縁が糸車を横にしたローラ２に係合するものである。
【００３３】
また、ローラ２の車軸は前記養生シート４の取付穴３に挿入するロック付き突起６で構成する。ロック付き突起６には折れピン式（回転式）のロックピンを利用できる。折れピン式（回転式）のロックピンはシート鳩目径Φ１２に対してピン径Φ１０で隙間が小さく、直立状態で取付穴３に挿入した後は先端を折り曲げれば、抜け難いものとなる。
【００３４】
なお、ローラ２を梁枠材１０に滑走可能に配設するに際して、複数あるローラ２のうち一番梁枠材１０の端に対応するローラ２の前後に車輪抜け止め通しボルト１４を梁枠材１０の幅方向に貫通させて設けた。該車輪抜け止め通しボルト１４は梁枠材１０に対して抜き差し可能なものである。
【００３５】
前記梁枠材１０を支承する第一の取付金具２１および第二の取付金具２６は、各々梁枠材１０の下側に突設した２枚の平行するＵ字形状の取付片９の谷に入れてボルト・ナットで軸着する結合片１２を一端に形成し、他端には足場建枠８の支柱２５に締結するクランプ１３を取り付けた。
【００３６】
クランプ１３は通常のパイプ単クランプであり、第二の取付金具２６を取り付けるクランプ１３は第二の取付金具２６を立ち上げ状態を維持するためナット溶接で固定的に取り付けるものであり、一方、第一の取付金具２１のクランプ１３は第一の取付金具２１とボルト・ナットで軸着することより、第一の取付金具２１が回動できるものである。
【００３７】
これら第一の取付金具２１および第二の取付金具２６はいずれもパイプによる支柱を本体とし、第一の取付金具２１は直状パイプ支柱であり、第二の取付金具２６は屈曲させたパイプ支柱で、図示の例では直角な屈曲支柱とする。第一の取付金具２１と第二の取付金具２６のパイプは同径のものでよい。
【００３８】
本考案の建築工事用仮設屋根１を施工するには、
（１）最上段の足場建枠８の建物側の支柱２５の上方にクランプ１３を介して第一の取付金具２１および第二の取付金具２６を取り付ける。
【００３９】
（２）梁枠材１０を第一の取付金具２１、第二の取付金具２６にネジ止めする。
【００４０】
（３）第一の取付金具２１の傾斜は梁枠材１０の傾斜角度を雨が建物側壁Ｍに入り込まないように調整するが、その傾斜角度は足場建枠８の幅によっても異なる。
【００４１】
なお、本建築工事用仮設屋根１においては図１〜図３で明らかなように、第一の取付金具２１の梁枠材１０の取付片９を選択することで種々の幅寸法（６００ｍｍ、９００ｍｍ、１２００ｍｍ）を有する足場建枠８に対応できる。
【００４２】
（４）第一、第二取付金具２１、２６と梁枠材１０とのネジ止めを固くするとともに、間隔を存して並ぶ梁枠材１０には前記各梁枠材１０を繋ぐつなぎパイプ１８をその端部に形成した孔を介してローラ２の車軸であるロック付き突起６に架け渡して本仮設屋根の骨組み全体を補強する。（図７参照）なお、このパイプ１８は養生シート４に結束したものでもよい。
【００４３】
（５）梁枠材１０にはローラ２が嵌めてあり、養生シート４の取付穴３をローラ２のロック付き突起６に各々挿通しながら、ローラ２を移動して養生シート４を展設する。
【００４４】
梁枠材１０の先端部のローラ２は車輪抜け止め通しボルト１４で固定されており動かないので、このローラ２の車軸であるロック付き突起を繋ぐつなぎパイプ１８の端部の孔および養生シート４の取付穴３を挿入することで、養生シート４の先端は固定されたものとなり、一方、養生シート４の他端はつなぎパイプ１８で係止される。
【００４５】
積雪や台風等強風時では養生シート４を開くことが必要になるが、その場合は車輪抜け止め通しボルト１４を外して梁枠材１０の先端部のローラ２を滑走可能とし、さらに、つなぎパイプ１８を持ち手として、ローラ２の移動とともに養生シート４を蛇腹状に折り畳んで、梁枠材１０の一方に寄せればよい。（図５参照）
【００４６】
以上は枠組足場に取付けた場合について説明したが、第一、第二取付金具２１、２６はクランプ１３を介して支柱の上方に固定するもので、くさび緊結式の足場である次世代足場に設けることもできる。その場合、支柱のソケット金具を回避できるからである。
【００４７】
次世代足場について図示はしないが、所要数の支柱が、間隔をおいて前後２列にかつ列ごとに左右方向に間隔をおいて立てられ、各支柱の表面における前後左右それぞれの側部に、平面より見てコ字形の複数のソケット金具を上下方向に所定間隔おきに溶接固定している。
【００４８】
このソケット金具に、横桟の両端部に垂下状に設けられたくさび状のインサート金具が上方から挿入され、また、手摺の両端部に垂下状に設けられたくさび状のインサート金具が挿入されるものである。
【符号の説明】
【００４９】
１…建築工事用仮設屋根              ２…ローラ
３…取付穴                          ４…養生シート
５…ロック付き突起                  ６…ロック付き突起
７、７ａ、７ｂ…金具取付穴          ８…足場建枠
９…取付片                          １０、１０′… 梁枠材
１１、１１′…取付部                １２…結合片
１３…クランプ                      １４…車輪抜け止め通しボルト
１５…支柱の足場建枠側の端部        １６…支柱
１７…単クランプ                    １８…つなぎパイプ
１９、１９′、２０…支柱            ２１…第一の取付金具
２３…取付部                        ２５…支柱
２６…第二の取付金具                ２７…梁
２９…交叉筋かい                    ３１…鳩目
３２…グラビティロック              ３３、３４…貫通孔
３５…トグルピン                    ３７…丸パイプ
３８…ジョイント部                  ３９…ネジ
４０…紐
【図１】
0003230733.tif 000003
【図２】
0003230733.tif 000004
【図３】
0003230733.tif 000005
【図４】
0003230733.tif 000006
【図５】
0003230733.tif 000007
【図６】
0003230733.tif 000008
【図７】
0003230733.tif 000009
【図８】
0003230733.tif 000010
【図９】
0003230733.tif 000011
【図１０】
0003230733.tif 000012
【図１１】
0003230733.tif 000013